【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
回路保護システムから外へ排気ガスを送るように構成された少なくとも１つの排気ダクトを有する回路保護システムとともに用いるためのエンクロージャであって、
アーク閉じ込め装置を支持し、少なくとも第１及び第２の位置で前記回路保護システムを載せるように構成されたラッキング・カセットと、
前記回路保護システムに結合された第１の障壁と、
前記回路保護システムに結合された第２の障壁であって、前記第１の障壁および前記第２の障壁によって、前記少なくとも１つの排気ダクトに流れ連絡する状態で結合された排気プレナムが画定される、第２の障壁と、
前記第１の障壁および前記第２の障壁に結合された上壁であって、前記上壁を通って通気口が延び、前記通気口は前記排気プレナムに流れ連絡する状態で結合されて前記エンクロージャから外へ前記排気ガスを送る、上壁と、を備え、
前記回路保護システムが前記第１の位置で載せられているときに、前記少なくとも１つの排気ダクトは前記排気プレナムと整列し、前記アーク閉じ込め装置内で発生した排気ガスを前記エンクロージャの外に排出させる、
エンクロージャ。
【請求項２】
前記第１の障壁は、
実質的に垂直方向に延びる第１の部分と、
前記第１の部分にある角度をなして結合されて、前記エンクロージャから前記排気プレナムを通して外へ前記排気ガスを送ることを容易にする第２の部分と、
を備える請求項１に記載のエンクロージャ。
【請求項３】
前記第１の障壁はさらに、前記第２の部分に結合された第３の部分であって、前記第１の障壁を前記回路保護システムに結合させるように構成された第３の部分を備える請求項２に記載のエンクロージャ。
【請求項４】
前記第２の障壁は、
実質的に垂直方向に延びる第４の部分と、
前記第３の部分にある角度をなして結合された第５の部分であって、前記回路保護システムを前記排気ガスからシールドするように構成された第５の部分と、
を備える請求項３に記載のエンクロージャ。
【請求項５】
前記第２の障壁はさらに、前記第５の部分に結合された第６の部分であって、前記第２の障壁を前記回路保護システムに結合させるように構成された第６の部分を備える請求項４に記載のエンクロージャ。
【請求項６】
前記第２の障壁に結合された第３の障壁であって、前記第２の障壁に実質的に垂直に配向される第３の障壁をさらに備え、
前記第２の障壁および前記第３の障壁によってコンパートメントが画定され、前記第２の障壁および前記第３の障壁は、前記コンパートメントを前記排気ガスからシールドするように構成されている、請求項１に記載のエンクロージャ。
【請求項７】
前記上壁に移動可能に結合された蓋であって、前記通気口の少なくとも一部を覆うように配向された蓋をさらに備える請求項１に記載のエンクロージャ。
【請求項８】
機器ラックをさらに備え、前記第１の障壁および前記第２の障壁は、前記回路保護システムが前記機器ラック内の第１の位置および第２の位置の一方に位置するときに、前記排気プレナムを前記回路保護システムに流れ連絡する状態で結合することができるように配向されている請求項１に記載のエンクロージャ。
【請求項９】
少なくとも１つの排気ダクトを備える回路保護システムであって、回路内の一次アーク・フラッシュを検出するように構成され、前記一次アーク・フラッシュの前記検出に応答して二次アーク・フラッシュを起こし、前記少なくとも１つの排気ダクトは前記回路保護システムから外へ排気ガスを送るように構成されている、回路保護システムと、
前記回路保護システムに結合されたエンクロージャであって、
アーク閉じ込め装置を支持し、少なくとも第１及び第２の位置で前記回路保護システムを載せるように構成されたラッキング・カセットと、
前記回路保護システムに結合された第１の障壁と、
前記回路保護システムに結合された第２の障壁であって、前記第１の障壁および前記第２の障壁によって、前記少なくとも１つの排気ダクトに流れ連絡する状態で結合されて前記エンクロージャから外へ前記排気ガスを送る内部の排気プレナムが画定される、第２の障壁と、を備えるエンクロージャと、を備え、
前記回路保護システムが前記第１の位置で載せられているときに、前記少なくとも１つの排気ダクトは前記排気プレナムと整列し、前記アーク閉じ込め装置内で発生した排気ガスを前記エンクロージャの外に排出させる、開閉装置スタック。
【請求項１０】
前記第１の障壁は、
実質的に垂直方向に延びる第１の部分と、
前記第１の部分にある角度をなして結合されて、前記エンクロージャから前記排気プレナムを通して外へ前記排気ガスを送ることを容易にする第２の部分と、
前記第２の部分に結合された第３の部分であって、前記第１の障壁を前記回路保護システムに結合するように構成された第３の部分と、を備える請求項９に記載の開閉装置スタック。
【請求項１１】
前記第２の障壁は、
実質的に垂直方向に延びる第４の部分と、
前記第３の部分にある角度をなして結合された第５の部分であって、前記回路保護システムを前記排気ガスからシールドするように構成された第５の部分と、
前記第５の部分に結合された第６の部分であって、前記第２の障壁を前記回路保護システムに結合するように構成された第６の部分と、を備える請求項１０に記載の開閉装置スタック。
【請求項１２】
前記エンクロージャはさらに、前記第２の障壁に結合された第３の障壁であって、前記第２の障壁に実質的に垂直に配向される第３の障壁を備え、
前記第２の障壁および前記第３の障壁によってコンパートメントが画定され、前記第２の障壁および前記第３の障壁は、前記コンパートメントを前記排気ガスからシールドするように構成されている請求項９に記載の開閉装置スタック。
【請求項１３】
前記エンクロージャはさらに、前記第１の障壁および前記第２の障壁に結合された上壁であって、前記上壁を通って通気口が延び、前記通気口は前記排気プレナムに流れ連絡する状態で結合されて前記エンクロージャから外へ前記排気ガスを送る上壁を備える請求項９に記載の開閉装置スタック。
【請求項１４】
前記上壁に移動可能に結合された蓋であって、前記通気口の少なくとも一部を覆うように配向された蓋をさらに備える請求項１３に記載の開閉装置スタック。
【請求項１５】
前記回路保護システムは、第１の横材および第２の横材を備え、前記第１の障壁は前記第１の横材に結合され、前記第２の障壁は前記第２の横材に結合される請求項９に記載の開閉装置スタック。
【請求項１６】
前記回路保護システムを前記エンクロージャ内の複数の位置に支持するように構成されたラッキング・カセットをさらに備え、前記排気プレナムは、前記回路保護システムが前記複数の位置のうちの少なくとも１つにあるときに、前記少なくとも１つの排気ダクトに流れ連絡する状態で結合される請求項９に記載の開閉装置スタック。
【請求項１７】
エンクロージャと、前記エンクロージャ内に位置し少なくとも１つの排気ダクト、第１の横材、および第２の横材を有する回路保護システムと、を備える開閉装置スタックを組み立てる方法であって、
前記第１の横材に第１の障壁を結合することであって、前記第１の障壁の少なくとも一部は実質的に垂直方向に延びる、結合することと、
前記第２の横材に第２の障壁を結合することであって、前記第２の障壁の少なくとも一部は実質的に垂直方向に延びて、前記第１の障壁および前記第２の障壁によって、前記少なくとも１つの排気ダクトに流れ連絡する状態で結合されて前記エンクロージャから外へ排気ガスを送る排気プレナムが画定されるようにする、結合することと、
アーク閉じ込め装置を支持するように構成されたラッキング・カセットを前記エンクロージャに結合することと
を含み、
前記ラッキング・カセットと、少なくとも第１及び第２の位置で前記回路保護システムを載せるように構成され、
前記回路保護システムが前記第１の位置で載せられているときに、前記少なくとも１つの排気ダクトは前記排気プレナムと整列する、
方法。
【請求項１８】
前記第１の障壁および前記第２の障壁に第１の側面部分を結合することと、
前記第１の障壁および前記第２の障壁に第２の側面部分を結合することであって、前記第１の障壁、前記第２の障壁、前記第１の側面部分、および前記第２の側面部分によって前記排気プレナムが画定されるようにする、結合することと、をさらに含む請求項１７に記載の方法。
【請求項１９】
前記第２の障壁に第３の障壁を結合することであって、前記第３の障壁は前記第２の障壁に実質的に垂直に配向されて前記第２の障壁および前記第３の障壁によってコンパートメントが画定されるようになっており、前記第２の障壁および前記第３の障壁は前記コンパートメントを前記排気ガスからシールドするように構成されている、結合することをさらに含む請求項１７に記載の方法。
【請求項２０】
前記第１の障壁および前記第２の障壁に上壁を結合することであって、前記上壁を通って通気口が延び、前記通気口は前記排気プレナムに流れ連絡する状態で結合される、結合することと、
前記上壁に蓋を移動可能に結合することであって、前記蓋は、前記通気口の少なくとも一部を覆うように配向される、結合することと、をさらに含む請求項１７に記載の方法。